(57)【要約】【課題】仏壇本体の受け台において、電気ロウソクなどの前記仏具における電気器具等を整然と載置させることができ、更に、仏壇本体における受け台上のスペースを有効的に使用することができる仏壇を提供する。【解決手段】仏壇本体１と、この仏壇本体に安置物や仏具ｂなどを供える受体２を設けた仏壇にあって、受体の上面に、仏具における電気器具ｂのプラグ１０を接続させるコンセント１１を設けてあり、コンセントに接続されるプラグは、仏具における電気器具の底部ｂ３より直接突設させるか、仏具における電気器具から延長させた配線コード１２の先端部に取り付けるかのいずれか一つである。【選択図】    図２
2005021636.tif 000002
【特許請求の範囲】
【請求項１】
仏壇本体と、この仏壇本体に安置物や仏具などを供える受体を設けた仏壇にあって、
前記受体の上面に、前記仏具における電気器具のプラグを接続させるコンセントを設けてあり、
前記コンセントに接続される前記プラグは、前記仏具における電気器具の底部より直接突設させるか、前記仏具における電気器具から延長させた配線コードの先端部に取り付けるかのいずれか一つであることを特徴とする仏壇。
【請求項２】
仏壇本体と、この仏壇本体に安置物や仏具などを供える受体を設けた仏壇にあって、
前記受体の上面に、前記仏具における電気器具の配線コードを挿通させる通孔を該受体の下面まで貫通させて設けて、
前記仏具における電気器具の配線コードはその先端部に、コンセントへ接続させるプラグを設けてあり、
前記コンセントは、前記受体の下方に設けるか、前記仏壇の外方において室内に設けられるかのいずれか一つであることを特徴とする仏壇。
【請求項３】
仏壇本体と、この仏壇本体に安置物や仏具などを供える受体を設けた仏壇にあって、
前記受体は、前記仏壇本体に取り付けられ上部に開口部を有する箱状の収容体の上部に設けられ、
前記受体の上面に、前記仏具における電気器具の配線コードを挿通させる通孔を該受体の下面まで貫通させて設けて、
前記受体の下部における収容体には、前記通孔を通った前記配線コードの先端部に取り付けたプラグを接続させるコンセントを設けてあり、
前記受体は、前記収容体の開口部に対して、その前後方向へ摺動自在に設けられるか、前記収容体の開口部に対して、着脱自在に設けられるかのいずれか一つであることを特徴とする仏壇。
【請求項４】
仏壇本体と、この仏壇本体に安置物や仏具などを供える受体を設けた仏壇にあって、
前記受体は、前記仏壇本体に取り付けられ上部に開口部を有する箱状の収容体の上部に設けられ、
前記受体の上面に、前記仏具における電気器具の配線コードを挿通させる通孔を該受体の下面まで貫通させて設けて、
前記受体の下部における収容体の後側部には、前記通孔を通った前記配線コードの先端部に取り付けたプラグを接続させるコンセントを設けてあり、
前記受体は、板状に形成され、該受体の後側部を前後方向に対して主受体と回動受体とに二分割させて、前記回動受体を回動部材により回動自在に取り付け、
該回動受体を回動させて前記収容体の開口部を露出させたとき、前記コンセントへの前記プラグの脱着が行え、前記回動受体を回動させて前記収容体の開口部を閉塞したとき、前記主受体と一連の平滑状となることを特徴とする仏壇。
【請求項５】
仏壇本体と、この仏壇本体に安置物や仏具などを供える受体を設けた仏壇にあって、
前記受体の上面に、前記仏具における電気器具の配線コードを収納させる収納溝を設け、
前記受体の下部には、前記配線コードの先端部に取り付けたプラグを接続させるコンセントを設けて、
前記収納溝は、前記受体の後側部において、前記コンセントへ通じる通路を設けたことを特徴とする仏壇。
【発明の詳細な説明】
【技術分野】
【０００１】
本発明は、仏壇本体内において、電気ロウソク等の前記仏具における電気器具を整然と、かつ、収納自在に載置させることができる仏壇に関する。
【背景技術】
【０００２】
仏壇内には、仏飯器や茶台，香炉、燭台，花立て等の様々な仏具が収納され、勤行時には、これら仏具を所定の位置に配置していた。
このうち、前記燭台は、立てたロウソクに火を灯して使用するため、長い勤行にあっては、度々ロウソクを追加しなければならない不都合を生じたり、仏壇を離れてこのロウソクの火から目をそらしたりしたときは、まれに、他物にこの火が移って思わぬ事故につながることがあるため、近年は、電灯線を利用して、簡便に電球による点灯および消灯が行える電気ロウソクが普及している。
【０００３】
しかしながら、この電気ロウソクは、コンセントに接続する配線コードが、乗せ台上に露出して横たわり、邪魔となって、他の仏具の載置が十分に行えない問題点があった。
【発明の開示】
【発明が解決しようとする課題】
【０００４】
本発明は前記した問題点を解決するためになされたもので、仏壇本体と、この仏壇本体に安置物や仏具などを供える受体を設けた仏壇にあって、受体の上面に、前記仏具における電気器具のプラグを接続させるコンセントを設けてあり、コンセントに接続されるプラグは、前記仏具における電気器具の底部より直接突設させるか、前記仏具における電気器具から延長させた配線コードの先端部に取り付けるかのいずれか一つであることにより、仏壇本体の受け台において、電気ロウソクなどの前記仏具における電気器具等を整然と載置させることができ、更に、仏壇本体における受け台上のスペースを有効的に使用することができる仏壇を提供することを目的としている。
【課題を解決するための手段】
【０００５】
前記した目的を達成するための本発明の手段は、
仏壇本体と、この仏壇本体に安置物や仏具などを供える受体を設けた仏壇にあって、
前記受体の上面に、前記仏具における電気器具のプラグを接続させるコンセントを設けてあり、
前記コンセントに接続される前記プラグは、前記仏具における電気器具の底部より直接突設させるか、前記仏具における電気器具から延長させた配線コードの先端部に取り付けるかのいずれか一つである仏壇の構成にある。
【０００６】
仏壇本体と、この仏壇本体に安置物や仏具などを供える受体を設けた仏壇にあって、
前記受体の上面に、前記仏具における電気器具の配線コードを挿通させる通孔を該受体の下面まで貫通させて設けて、
前記仏具における電気器具の配線コードはその先端部に、コンセントへ接続させるプラグを設けてあり、
前記コンセントは、前記受体の下方に設けるか、前記仏壇の外方において室内に設けられるかのいずれか一つである仏壇の構成にある。
【０００７】
仏壇本体と、この仏壇本体に安置物や仏具などを供える受体を設けた仏壇にあって、
前記受体は、前記仏壇本体に取り付けられ上部に開口部を有する箱状の収容体の上部に設けられ、
前記受体の上面に、前記仏具における電気器具の配線コードを挿通させる通孔を該受体の下面まで貫通させて設けて、
前記受体の下部における収容体には、前記通孔を通った前記配線コードの先端部に取り付けたプラグを接続させるコンセントを設けてあり、
前記受体は、前記収容体の開口部に対して、その前後方向へ摺動自在に設けられるか、前記収容体の開口部に対して、着脱自在に設けられるかのいずれか一つである仏壇の構成にある。
【０００８】
仏壇本体と、この仏壇本体に安置物や仏具などを供える受体を設けた仏壇にあって、
前記受体は、前記仏壇本体に取り付けられ上部に開口部を有する箱状の収容体の上部に設けられ、
前記受体の上面に、前記仏具における電気器具の配線コードを挿通させる通孔を該受体の下面まで貫通させて設けて、
前記受体の下部における収容体の後側部には、前記通孔を通った前記配線コードの先端部に取り付けたプラグを接続させるコンセントを設けてあり、
前記受体は、板状に形成され、該受体の後側部を前後方向に対して主受体と回動受体とに二分割させて、前記回動受体を回動部材により回動自在に取り付け、
該回動受体を回動させて前記収容体の開口部を露出させたとき、前記コンセントへの前記プラグの脱着が行え、前記回動受体を回動させて前記収容体の開口部を閉塞したとき、前記主受体と一連の平滑状となる仏壇の構成にある。
【０００９】
仏壇本体と、この仏壇本体に安置物や仏具などを供える受体を設けた仏壇にあって、
前記受体の上面に、前記仏具における電気器具の配線コードを収納させる収納溝を設け、
前記受体の下部には、前記配線コードの先端部に取り付けたプラグを接続させるコンセントを設けて、
前記収納溝は、前記受体の後側部において、前記コンセントへ通じる通路を設けた仏壇の構成にある。
【発明の効果】
【００１０】
前述したように本発明の仏壇は、受体上に載置した電気器具にあって、その配線コードが周囲に散乱することなく、すっきりと整頓されて、該電気器具の取り扱いが良好となる。また、この受体への他の仏具の載置にあって、ゆとりが得られてスペースの有効利用が図れる。
【発明を実施するための最良の形態】
【００１１】
次に本発明に関する仏壇の一実施例を図面に基づいて説明する。
図１および図５，図１０においてＡは仏壇で、仏壇本体１と、この仏壇本体１に安置物や仏具ｂ等を、特には、電気ロウソクなどの電気器具ｂを載置により供える受体２を設けてあるもので、この電気器具ｂの受体２への載置を良好にし、かつ、受体２上のスペースの有効利用を図るものである。
そして、仏壇本体１の前側における開口部には、観音開き状に開閉操作する左右一対の前扉体３，３をそれぞれ取り付けてある。
なお、この仏壇Ａは、図１および図５に示すような、家具調式以外にも、図１０に示すように、仏壇本体１にあって、厨子本体１Ｄと、その下部の台本体１Ｅとが分割された厨子調式のものであってもよく、その仏壇の形態や種類は限定されない。
更に、この図１０に示す厨子調式の仏壇Ａの場合にあっては、電気ロウソクなどの電気器具ｂあるいは他の安置物の仏具などを載置する受体２は、厨子本体１Ｄを支承するその下部の台本体１Ｅに設けられる。また、この受体２にあっては、後記する収容体７の上部に取り付けることもできる。
【００１２】
前記した仏壇本体１は、天板ｃと底板ｄ，両側板ｅ．ｆ，背板ｇにより箱形に形成されて、その前部に開口１ａを有するもので、図１，図５に示すような、家具調式の仏壇Ａにあっては、その仏壇本体１の内部に、仏飯器や茶台，香炉、花立て等の仏具等を載置する受棚４や安置物を納める厨子５等が設けられる。
また、図１０に示す厨子調式の仏壇Ａの場合にあっては、厨子本体１Ｄの内部に安置物などを納める厨子５等が設けられる。
【００１３】
前記した受体２は、電気ロウソクなどの電気器具ｂや他の仏具を載置するもので、図１，図５に示すような、家具調式の仏壇Ａにあっては、両側板ｅ．ｆ内に納まる幅寸法を有しており、また、奥行きも、前扉体３，３を閉めたとき、該受体２の前縁がこの前扉体３，３に当たらない程度の奥行き寸法を有している。
また、図１０に示すような、厨子式の仏壇Ａにあっては、仏壇本体１における台本体１Ｅに設けられている。
この受体２は、その下側に、底板ｄ部に設けた前後ガイド６に沿って移動する収容体７の上部開口部に取り付けてあるもので、仏壇本体１内からその外側へ所定寸法が出し入れ自在となる。そのため、勤行時などには、この前後ガイド６に沿って収容体７を引き出すと、この収容体７と共に受体２が一体的に手前側に移動する。また、仏壇Ａを使用しないときは、前後ガイド６に沿って収容体７を開口１ａ内へ押し込むと、前扉体３，３の内側に納まる。
この収容体７は、経机としても使用できるもので、その中間部に、いくつかの引き出し８やリン（図示せず）の収納部９などを付設してある。更に、図６に示すように、箱形に形成される以外にも、単なる枠状や他の任意な形状が採用される。同様に、受体２は、この収容体７に使用されることなく、仏壇本体１（厨子式の仏壇Ａにあっては、仏壇本体１における台本体１Ｄ）へ支持される形態も用いられる。
【００１４】
また、この受体２の上面に、仏具における電気器具ｂのプラグ１０を接続させるコンセント１１を設けてある。該コンセント１１の取り付けにあっては、受体２の適所に取付孔３０を設けて、この取付孔３０内へコンセント１１の上面が受体２の面一となるように、あるいはこの受体２上面よりわずかに突出するまたはわずかに陥没するように設けられる。
なお、この電気器具ｂは、電灯線を電源として照明される、いわゆる、電気ロウソクであって、その台本体ｂ１の上部に、ロウソクに似せた電球等の発光体によるランプ体ｂ２を固定または着脱自在に設けてある。
更に、このコンセント１１に接続されるプラグ１０は、図２および図３（ａ）に示すように、電気器具ｂの底部ｂ３より下方へ直接突設させるか、図３（ｂ）に示すように、電気器具ｂの底部ｂ３の側部から突出させて延長させた配線コード１２の先端部に取り付けるか、あるいは、図３（ｃ）に示すように、電気器具ｂのランプ体ｂ２から突出させて延長させた配線コード１２の先端部に取り付けるかするもので、任意の手段が選定し得る。
前記配線コード１２は、電気器具ｂの受体２への希望載置位置への載置が妨げられない最小限の長さにすることが、該配線コード１２が邪魔にならないことで好ましい。
なお、このプラグ１０を電気器具ｂの底部ｂ３より下方へ直接突設させる場合には、コンセント１１の受体２への取付位置は、実際に、電気器具ｂを受体２に載置する位置に設けられる。この電気器具ｂにおけるランプ体ｂ２への給電および給電停止は、コンセント１１へのプラグ１０への差し込みによる直接通電・断電によったり、図示しないスイッチの操作により行うこともできる。
【００１５】
また、このコンセント１１には、室内における電灯線のコンセント（図示せず）へ接続する配線１３を結線させてあるもので、図３（ａ）において実線で示すように、収容体７の内部空間の適所を適宜はわせたり、図３（ｂ）において仮想線で示すように、受体２内に収納空間（例えば、内部に穿設させた連通孔等）を形成させて、この収納空間（例えば、内部に穿設させた連通孔等）に通したりする。いずれの場合にあっても、収容体７が前後方向へ進退するときは、この進退運動を妨げない配線１３の長さに形成される。
【００１６】
なお、受体２に対応した該受体２の上方の受棚４には、その前縁中央部に内側にえぐれる逃がし凹部１４が設けられている。
この逃がし凹部１４は、受体２を一体的に取り付けた収容体７を、その引き出し位置から収納位置へ移動させるとき、受体２上へ載置した背の高い仏具、例えば、電気ロウソクの電気器具ｂや花器などを、該逃がし凹部１４内へ納まるように中程へ移動させることで、これら電気器具ｂや花器などが受棚４に当たることなく受体２上へ載置状態で保持される。
【００１７】
したがって、前記のように構成される本発明に係る第一の実施例の仏壇Ａは、以下に述べる作用を奏する。なお、この例にあっては、図１，図５に示す家具調式仏壇Ａについて示す。まず、仏壇Ａの使用に当たっては、前扉体３，３を全開して、図示してないが、この前扉体３，３は側板ｅ，ｆの外側位置に収納しておく。
【００１８】
そして、収容体７を手前側に引き出すと、この収容体７の一体的に設けられた受体２も同時に手前側に移動する。これにより、受体２は、その上面が受棚４などにより遮られるものがなくなるため、大きな載置スペースができる。
【００１９】
この状態で、受体２の上面に露出するコンセント１１へ、左右一対からなる電気ロウソクである電気器具ｂのプラグ１０を、それぞれ刺し込むと通電されて、ランプ体ｂ２が点灯する。これにより、日常の勤行などが行える。
このとき、受体２上においては、プラグ１０を電気器具ｂの底部ｂ３へ一体的に設けた場合には、配線コード１２は全く不要となって、他物の載置に邪魔にならない。また、プラグ１０を前記底部ｂ３やランプ体ｂ２から突出させて延長させた配線コード１２に設けた場合であっても、配線コード１２をできるだけ短く設けてあるため、受体２上に散乱することなく片付いた状態となっている。
【００２０】
また、勤行などが終わり、仏壇を閉めるときは、まず、コンセント１１からプラグ１０を抜き、電気器具ｂを受体２の後側中央部に寄せて載置し、収容体７を開口１ａ内へ押し込むと、これに伴って、一体的に取り付けられた受体２も後退し、所定位置に納まる。
このとき、受体２上においては、プラグ１０を電気器具ｂの底部ｂ３へ一体的に設けた場合には、配線コード１２は全く不要となって、この収納において邪魔にならない。また、プラグ１０を前記底部ｂ３やランプ体ｂ２から突出させて延長させた配線コード１２に設けた場合であっても、配線コード１２をできるだけ短く設けてあるため、コンセント１１から抜いた状態において、受体２上に散乱することなく片付いた状態となっている。
【００２１】
更に、この電気器具ｂは、収納時、必ずしも受体２上に載置する必要はなく、受体２上に設けられたコンセント１１とプラグ１０の脱着により、他の収納場所への収納が可能となる。しかも、この電気器具ｂが破損等を生じて交換するときも、受体２上にコンセント１１が設けられているので、従来のように配線全体を仏壇Ａから引き出して交換する面倒さが全くなくなって、簡便にその交換作業が行える。
【００２２】
次に、本発明に係る第二の実施例の仏壇Ａを、図４〜図５に基づいて説明するもので、この例は、仏壇本体１と、この仏壇本体１に安置物や仏具、電気ロウソクの電気器具ｂなどを供える受体２を設けた仏壇Ａにあって、受体２の上面に、仏具における電気器具ｂの配線コード１２を挿通させる通孔１５を、該受体２の下面まで貫通させて設けて、仏具における電気器具ｂの配線コード１２はその先端部に、コンセント１１へ接続させるプラグ１０を設けてあり、コンセント１１は、受体２の下方に設けるか、仏壇Ａの外方において室内に設けられるかのいずれか一つである構成を有する。
なお、仏壇本体１および受体２の基本的構成は、前記第一実施例に示すような家具調式や厨子調式の仏壇Ａにおける仏壇本体１および受体２と同様に構成されるため、同一部材には同一符号を付し、その詳細な説明は省略する。
【００２３】
この例は、電灯線につながるコンセント１１を、図４に示すように、受体２の下方に設けるか、図５に示すように、仏壇Ａの外方において室内に設けられるコンセント２０とすることで、電気器具ｂへ通電するための配線コード１２を受体２の上面に設けた通孔１５に通して、この配線コード１２の先端に取り付けたプラグ１０を介して、コンセント１１へ接続させるものである。
なお、このコンセント１１は、図５において示すように、受体２の上方において、仏壇本体１の後側部に露出させて設けてもよい。
【００２４】
受体２の上面に設けた通孔１５は、受体２における電気器具ｂの通常の載置位置の近傍に穿設させることが、配線コード１２をできるだけ短く形成させることができる上で好ましい。
【００２５】
コンセント１１を、受体２の下方に設ける場合は、例えば、収容体７の背板１６付近に設けるもので、このコンセント１１に接続した電灯線のコンセント２０への配線１３は、仏壇本体１の適所に配してある。
更に、コンセント１１を、受体２の下方に設ける場合、該受体２の裏面の適所に設けることもできる。
また、配線コード１２は、通孔１５への挿通作業を容易に行うため、コンパクトなコネクタ１８，１９を利用する。
【００２６】
更に、該配線コード１２は、図４（ａ）に示すように、電気器具ｂの底部ｂ３の側部から突出させて延長させるか、あるいは、図４（ｂ）に示すように、電気器具ｂのランプ体ｂ２から突出させて延長させるかするもので、任意の手段が選定し得る。
【００２７】
コンセント１１を、図４に示すように、受体２の下方に、例えば、収容体７内に設けたときは、該コンセント１１とプラグ１０との結合およびその結合解除にあっては、受体２の適宜な移動動作によってなされる。例えば、図６（ａ）に示すように、受体２は、収容体７の開口部に対して、その前後方向へ摺動自在に設けられる。この場合、受体２と収容体７とに摺動ガイド２１を設けて、この摺動ガイド２１に沿って受体２を摺動移動させることが好ましい。
更に他の例として、図６（ｂ）に示すように、収容体７の開口部に対して、着脱自在に設けられるもので、これらの例のいずれか一つが採用される。
【００２８】
更にまた他の例として、図７に示すように、受体２を、収容体７の開口部の外形状に合わせて板状に形成させ、該受体２の後側部（コンセント１１の取り付け箇所の近傍部）を前後方向に対して、主受体２ａと回動受体２ａとに二分割させて、この回動受体２ｂを蝶番やヒンジ等の回動部材２２により回動自在に取り付け、該回動受体２ｂを前方向に対して回動させて、収容体７の開口部７ａを露出させたとき、コンセント１１へのプラグ１０の脱着が行え、また、この脱着操作を行わない通常時にあっては、回動受体７ｂを後方向に対して回動させて、収容体７の開口部７ａを閉塞したとき、この回動受体７ｂと主受体７ａとが一連の平滑状となるように構成されている。該回動受体７ｂは、その下面が収容体７の開口部における上面に支承される。
【００２９】
収容体７の開口部７ａは、人の手などが出入りすることができ、コンセント１１へのプラグ１０の脱着操作ができる程度に開口すればよい。
【００３０】
したがって、受体２は、前記した摺動や着脱，回動操作により、収容体７の上部において開口部７ａが形成されるので、人の手がこの開口部７ａへ自由に臨ませることができるため、コンセント１１とプラグ１０との結合およびその結合解除が容易に行える。
【００３１】
電気器具ｂの配線コード１２は、受体２の通孔１５から抜き出すことにより、電気器具ｂ全体を仏壇本体より離隔することができる。そのため、該電気器具ｂの取り扱いやその収納などが容易となると共に、この電気器具ｂの故障などの際に、その交換作業が簡単に行える。
【００３２】
次に、本発明に係る第三の実施例の仏壇Ａを、図８〜図９に基づいて説明するもので、この例は、仏壇本体１と、この仏壇本体１の内部に安置物や仏具、電気ロウソクの電気器具ｂなどを供える受体２を設けた仏壇Ａにあって、受体２の上面に、仏具における電気器具ｂの配線コード１２を収納させる収納溝２３を設けて、仏具における電気器具ｂの配線コード１２はその先端部に、コンセント１１へ接続させるプラグ１０を設けてあり、コンセント１１は、受体２の下方に設けるか、仏壇Ａの外方において室内に設けられる（例えば、図５に示すコンセント２０のように）かのいずれか一つである構成を有する。
また、前記した収納溝２３は、受体２の後側部において、コンセント１１へ通じる通路２４を設けてある。
なお、仏壇本体１および受体２の基本的構成は、前記第一実施例に示すような家具調式や厨子調式の仏壇Ａにおける仏壇本体１および受体２と同様に構成されるため、同一部材には同一符号を付し、その詳細な説明は省略する。
【００３３】
この例は、電気器具ｂの配線コード１２を、図４に示す通孔１５に代えて、受体２に設けた収納溝２３を採用したもので、基本的な作用効果は、この通孔１５の例に準ずる。また、コンセント１１を、収容体７内に設けたときは、該コンセント１１とプラグ１０との結合およびその結合解除にあっては、図６に示すような、受体２の前後方向へ摺動自在に設けられる構成や、受体２の前後方向へ摺動自在に設けられる構成、あるいは、図７に示すような、受体２を二分割させてその一方を回動自在に設ける構成が採用される。（なお、本例にあっては、図６，７に示される構成の説明を援用する。）
【００３４】
したがって、受体２は、前記した摺動や着脱，回動操作により、収容体７の上部において開口部７ａが形成されるので、人の手がこの開口部７ａへ自由に臨ませることができるため、コンセント１１とプラグ１０との結合およびその結合解除が容易に行える。
【００３５】
なお、電気器具ｂの配線コード１２を収納する収納溝２３は、図９に示すように、その開口を蓋体２５により着脱自在に閉塞すれば、ゴミなどの異物がこの収納溝２３へ入り込むのを防止することができると共に、受体２上への仏具ｂなどの載置に不都合を生じない。
【００３６】
前記した本発明の第一〜第三実施例に係る仏壇Ａにあって、収容体７は前後方向に対して進退自在となる例を示したが、この収容体７は、仏壇本体１に対して固定状態に設けられてもよい。
【図面の簡単な説明】
【００３７】
【図１】本発明に関する仏壇の第一の実施例を示す斜視図である。（家具調式仏壇）
【図２】図１における仏壇の受体と電気器具との載置状態を示す一部を破断した要部の正面図を示す。
【図３】図１における仏壇の受体と電気器具との載置状態を示すもので、（ａ）は、その要部の一部を破断して示す側面図、（ｂ）は、電気器具における配線コードの他の取付例を示す説明図、（ｃ）は、（ｂ）の更に他の取付例を示す説明図を示す。
【図４】本発明に関する仏壇の第二の実施例を示すもので、（ａ）は、受体と電気器具との載置状態を示す一部を破断した要部の側面図を、（ｂ）は、電気器具における配線コードの他の取付例を示す説明図を示す。
【図５】図４における仏壇の他のコンセントの例を示す斜視図である。
【図６】図５における仏壇の受体の移動例を示すもので、（ａ）は、摺動式を、（ｂ）は、脱着式を示す。
【図７】図６における仏壇の受体移動の他の例を示す一部を破断した側面図である。
【図８】本発明に関する仏壇の第三の実施例を示す要部の一部を破断した側面図である。
【図９】図８における仏壇の収納溝への蓋体の取付状態を示す説明図である。
【図１０】図１における仏壇に家具調式仏壇を用いた例を示す斜視図である。
【符号の説明】
【００３８】
Ａ…仏壇．ｂ…電気器具（仏具）．ｂ３…底部．１…仏壇本体．２…受体．２ａ…主受体．２ｂ…回動受体．７…収容体．７ａ…開口部．１０…プラグ．１１（２０）…コンセント．１２…配線コード．１５…通孔．２２…回動部材．２３…収納溝．２４…通路
【図１】
2005021636.tif 000003
【図２】
2005021636.tif 000004
【図３】
2005021636.tif 000005
【図４】
2005021636.tif 000006
【図５】
2005021636.tif 000007
【図６】
2005021636.tif 000008
【図７】
2005021636.tif 000009
【図８】
2005021636.tif 000010
【図９】
2005021636.tif 000011
【図１０】
2005021636.tif 000012
【手続補正書】
【提出日】平成15年11月11日(2003.11.11)
【手続補正１】
【補正対象書類名】特許請求の範囲
【補正対象項目名】全文
【補正方法】変更
【補正の内容】
【特許請求の範囲】
【請求項１】
仏壇本体と、この仏壇本体に安置物や仏具などを供える受体を設けた仏壇にあって、
前記受体は、前記仏壇本体に取り付けられ上部に開口部を有する箱状の収容体の上部に設けられ、
前記受体の上面に、前記仏具における電気器具の配線コードを挿通させる通孔を該受体の下面まで貫通させて設けて、
前記受体の下部における収容体には、前記通孔を通った前記配線コードの先端部に取り付けたプラグを接続させるコンセントを設けてあり、
前記受体は、前記収容体の開口部に対して、その前後方向へ摺動自在に設けられるか、前記収容体の開口部に対して、着脱自在に設けられるかのいずれか一つ
【請求項２】
仏壇本体と、この仏壇本体に安置物や仏具などを供える受体を設けた仏壇にあって、
前記受体は、前記仏壇本体に取り付けられ上部に開口部を有する箱状の収容体の上部に設けられ、
前記受体の上面に、前記仏具における電気器具の配線コードを挿通させる通孔を該受体の下面まで貫通させて設けて、
前記受体の下部における収容体の後側部には、前記通孔を通った前記配線コードの先端部に取り付けたプラグを接続させるコンセントを設けてあり、
前記受体は、板状に形成され、該受体の後側部を前後方向に対して主受体と回動受体とに二分割させて、前記回動受体を回動部材により回動自在に取り付け、
該回動受体を回動させて前記収容体の開口部を露出させたとき、前記コンセントへの前記プラグの脱着が行え、前記回動受体を回動させて前記収容体の開口部を閉塞したとき、前記主受体と一連の平滑状となることを特徴とする仏壇。
【手続補正２】
【補正対象書類名】明細書
【補正対象項目名】全文
【補正方法】変更
【補正の内容】
【発明の詳細な説明】
【技術分野】
【０００１】
本発明は、仏壇本体内において、電気ロウソク等の前記仏具における電気器具を整然と、かつ、収納自在に載置させることができる仏壇に関する。
【背景技術】
【０００２】
仏壇内には、仏飯器や茶台，香炉、燭台，花立て等の様々な仏具が収納され、勤行時には、これら仏具を所定の位置に配置していた。
このうち、前記燭台は、立てたロウソクに火を灯して使用するため、長い勤行にあっては、度々ロウソクを追加しなければならない不都合を生じたり、仏壇を離れてこのロウソクの火から目をそらしたりしたときは、まれに、他物にこの火が移って思わぬ事故につながることがあるため、近年は、電灯線を利用して、簡便に電球による点灯および消灯が行える電気ロウソクが普及している。
【０００３】
しかしながら、この電気ロウソクは、コンセントに接続する配線コードが、乗せ台上に露出して横たわり、邪魔となって、他の仏具の載置が十分に行えない問題点があった。
【発明の開示】
【発明が解決しようとする課題】
【０００４】
本発明は前記した問題点を解決するためになされたもので、仏壇本体と、この仏壇本体に安置物や仏具などを供える受体を設けた仏壇にあって、受体の上面に、前記仏具における電気器具のプラグを接続させるコンセントを設けてあり、コンセントに接続されるプラグは、前記仏具における電気器具の底部より直接突設させるか、前記仏具における電気器具から延長させた配線コードの先端部に取り付けるかのいずれか一つであることにより、仏壇本体の受け台において、電気ロウソクなどの前記仏具における電気器具等を整然と載置させることができ、更に、仏壇本体における受け台上のスペースを有効的に使用することができる仏壇を提供することを目的としている。
【課題を解決するための手段】
【０００５】
前記した目的を達成するための本発明の手段は、
仏壇本体と、この仏壇本体に安置物や仏具などを供える受体を設けた仏壇にあって、
前記受体は、前記仏壇本体に取り付けられ上部に開口部を有する箱状の収容体の上部に設けられ、
前記受体の上面に、前記仏具における電気器具の配線コードを挿通させる通孔を該受体の下面まで貫通させて設けて、
前記受体の下部における収容体には、前記通孔を通った前記配線コードの先端部に取り付けたプラグを接続させるコンセントを設けてあり、
前記受体は、前記収容体の開口部に対して、その前後方向へ摺動自在に設けられるか、前記収容体の開口部に対して、着脱自在に設けられるかのいずれか一つである仏壇の構成にある。
【０００６】
仏壇本体と、この仏壇本体に安置物や仏具などを供える受体を設けた仏壇にあって、
前記受体は、前記仏壇本体に取り付けられ上部に開口部を有する箱状の収容体の上部に設けられ、
前記受体の上面に、前記仏具における電気器具の配線コードを挿通させる通孔を該受体の下面まで貫通させて設けて、
前記受体の下部における収容体の後側部には、前記通孔を通った前記配線コードの先端部に取り付けたプラグを接続させるコンセントを設けてあり、
前記受体は、板状に形成され、該受体の後側部を前後方向に対して主受体と回動受体とに二分割させて、前記回動受体を回動部材により回動自在に取り付け、
該回動受体を回動させて前記収容体の開口部を露出させたとき、前記コンセントへの前記プラグの脱着が行え、前記回動受体を回動させて前記収容体の開口部を閉塞したとき、前記主受体と一連の平滑状となる仏壇の構成にある。
【発明の効果】
【０００７】
前述したように本発明の仏壇は、受体上に載置した電気器具にあって、その配線コードが周囲に散乱することなく、すっきりと整頓されて、該電気器具の取り扱いが良好となる。また、この受体への他の仏具の載置にあって、ゆとりが得られてスペースの有効利用が図れる。
【発明を実施するための最良の形態】
【０００８】
次に本発明に関する仏壇の一実施例を図面に基づいて説明する。
図１および図５，図１０においてＡは仏壇で、仏壇本体１と、この仏壇本体１に安置物や仏具ｂ等を、特には、電気ロウソクなどの電気器具ｂを載置により供える受体２を設けてあるもので、この電気器具ｂの受体２への載置を良好にし、かつ、受体２上のスペースの有効利用を図るものである。
そして、仏壇本体１の前側における開口部には、観音開き状に開閉操作する左右一対の前扉体３，３をそれぞれ取り付けてある。
なお、この仏壇Ａは、図１および図５に示すような、家具調式以外にも、図１０に示すように、仏壇本体１にあって、厨子本体１Ｄと、その下部の台本体１Ｅとが分割された厨子調式のものであってもよく、その仏壇の形態や種類は限定されない。
更に、この図１０に示す厨子調式の仏壇Ａの場合にあっては、電気ロウソクなどの電気器具ｂあるいは他の安置物の仏具などを載置する受体２は、厨子本体１Ｄを支承するその下部の台本体１Ｅに設けられる。また、この受体２にあっては、後記する収容体７の上部に取り付けることもできる。
【０００９】
前記した仏壇本体１は、天板ｃと底板ｄ，両側板ｅ．ｆ，背板ｇにより箱形に形成されて、その前部に開口１ａを有するもので、図１，図５に示すような、家具調式の仏壇Ａにあっては、その仏壇本体１の内部に、仏飯器や茶台，香炉、花立て等の仏具等を載置する受棚４や安置物を納める厨子５等が設けられる。
また、図１０に示す厨子調式の仏壇Ａの場合にあっては、厨子本体１Ｄの内部に安置物などを納める厨子５等が設けられる。
【００１０】
前記した受体２は、電気ロウソクなどの電気器具ｂや他の仏具を載置するもので、図１，図５に示すような、家具調式の仏壇Ａにあっては、両側板ｅ．ｆ内に納まる幅寸法を有しており、また、奥行きも、前扉体３，３を閉めたとき、該受体２の前縁がこの前扉体３，３に当たらない程度の奥行き寸法を有している。
また、図１０に示すような、厨子式の仏壇Ａにあっては、仏壇本体１における台本体１Ｅに設けられている。
この受体２は、その下側に、底板ｄ部に設けた前後ガイド６に沿って移動する収容体７の上部開口部に取り付けてあるもので、仏壇本体１内からその外側へ所定寸法が出し入れ自在となる。そのため、勤行時などには、この前後ガイド６に沿って収容体７を引き出すと、この収容体７と共に受体２が一体的に手前側に移動する。また、仏壇Ａを使用しないときは、前後ガイド６に沿って収容体７を開口１ａ内へ押し込むと、前扉体３，３の内側に納まる。
この収容体７は、経机としても使用できるもので、その中間部に、いくつかの引き出し８やリン（図示せず）の収納部９などを付設してある。更に、図６に示すように、箱形に形成される以外にも、単なる枠状や他の任意な形状が採用される。同様に、受体２は、この収容体７に使用されることなく、仏壇本体１（厨子式の仏壇Ａにあっては、仏壇本体１における台本体１Ｄ）へ支持される形態も用いられる。
【００１１】
また、この受体２の上面に、仏具における電気器具ｂのプラグ１０を接続させるコンセント１１を設けてある。該コンセント１１の取り付けにあっては、受体２の適所に取付孔３０を設けて、この取付孔３０内へコンセント１１の上面が受体２の面一となるように、あるいはこの受体２上面よりわずかに突出するまたはわずかに陥没するように設けられる。
なお、この電気器具ｂは、電灯線を電源として照明される、いわゆる、電気ロウソクであって、その台本体ｂ１の上部に、ロウソクに似せた電球等の発光体によるランプ体ｂ２を固定または着脱自在に設けてある。
更に、このコンセント１１に接続されるプラグ１０は、図２および図３（ａ）に示すように、電気器具ｂの底部ｂ３より下方へ直接突設させるか、図３（ｂ）に示すように、電気器具ｂの底部ｂ３の側部から突出させて延長させた配線コード１２の先端部に取り付けるか、あるいは、図３（ｃ）に示すように、電気器具ｂのランプ体ｂ２から突出させて延長させた配線コード１２の先端部に取り付けるかするもので、任意の手段が選定し得る。
前記配線コード１２は、電気器具ｂの受体２への希望載置位置への載置が妨げられない最小限の長さにすることが、該配線コード１２が邪魔にならないことで好ましい。
なお、このプラグ１０を電気器具ｂの底部ｂ３より下方へ直接突設させる場合には、コンセント１１の受体２への取付位置は、実際に、電気器具ｂを受体２に載置する位置に設けられる。この電気器具ｂにおけるランプ体ｂ２への給電および給電停止は、コンセント１１へのプラグ１０への差し込みによる直接通電・断電によったり、図示しないスイッチの操作により行うこともできる。
【００１２】
また、このコンセント１１には、室内における電灯線のコンセント（図示せず）へ接続する配線１３を結線させてあるもので、図３（ａ）において実線で示すように、収容体７の内部空間の適所を適宜はわせたり、図３（ｂ）において仮想線で示すように、受体２内に収納空間（例えば、内部に穿設させた連通孔等）を形成させて、この収納空間（例えば、内部に穿設させた連通孔等）に通したりする。いずれの場合にあっても、収容体７が前後方向へ進退するときは、この進退運動を妨げない配線１３の長さに形成される。
【００１３】
なお、受体２に対応した該受体２の上方の受棚４には、その前縁中央部に内側にえぐれる逃がし凹部１４が設けられている。
この逃がし凹部１４は、受体２を一体的に取り付けた収容体７を、その引き出し位置から収納位置へ移動させるとき、受体２上へ載置した背の高い仏具、例えば、電気ロウソクの電気器具ｂや花器などを、該逃がし凹部１４内へ納まるように中程へ移動させることで、これら電気器具ｂや花器などが受棚４に当たることなく受体２上へ載置状態で保持される。
【００１４】
したがって、前記のように構成される一実施例の仏壇Ａは、以下に述べる作用を奏する。なお、この例にあっては、図１，図５に示す家具調式仏壇Ａについて示す。まず、仏壇Ａの使用に当たっては、前扉体３，３を全開して、図示してないが、この前扉体３，３は側板ｅ，ｆの外側位置に収納しておく。
【００１５】
そして、収容体７を手前側に引き出すと、この収容体７の一体的に設けられた受体２も同時に手前側に移動する。これにより、受体２は、その上面が受棚４などにより遮られるものがなくなるため、大きな載置スペースができる。
【００１６】
この状態で、受体２の上面に露出するコンセント１１へ、左右一対からなる電気ロウソクである電気器具ｂのプラグ１０を、それぞれ刺し込むと通電されて、ランプ体ｂ２が点灯する。これにより、日常の勤行などが行える。
このとき、受体２上においては、プラグ１０を電気器具ｂの底部ｂ３へ一体的に設けた場合には、配線コード１２は全く不要となって、他物の載置に邪魔にならない。また、プラグ１０を前記底部ｂ３やランプ体ｂ２から突出させて延長させた配線コード１２に設けた場合であっても、配線コード１２をできるだけ短く設けてあるため、受体２上に散乱することなく片付いた状態となっている。
【００１７】
また、勤行などが終わり、仏壇を閉めるときは、まず、コンセント１１からプラグ１０を抜き、電気器具ｂを受体２の後側中央部に寄せて載置し、収容体７を開口１ａ内へ押し込むと、これに伴って、一体的に取り付けられた受体２も後退し、所定位置に納まる。
このとき、受体２上においては、プラグ１０を電気器具ｂの底部ｂ３へ一体的に設けた場合には、配線コード１２は全く不要となって、この収納において邪魔にならない。また、プラグ１０を前記底部ｂ３やランプ体ｂ２から突出させて延長させた配線コード１２に設けた場合であっても、配線コード１２をできるだけ短く設けてあるため、コンセント１１から抜いた状態において、受体２上に散乱することなく片付いた状態となっている。
【００１８】
更に、この電気器具ｂは、収納時、必ずしも受体２上に載置する必要はなく、受体２上に設けられたコンセント１１とプラグ１０の脱着により、他の収納場所への収納が可能となる。しかも、この電気器具ｂが破損等を生じて交換するときも、受体２上にコンセント１１が設けられているので、従来のように配線全体を仏壇Ａから引き出して交換する面倒さが全くなくなって、簡便にその交換作業が行える。
【００１９】
次に、他の実施例の仏壇Ａを、図４〜図５に基づいて説明するもので、この例は、仏壇本体１と、この仏壇本体１に安置物や仏具、電気ロウソクの電気器具ｂなどを供える受体２を設けた仏壇Ａにあって、受体２の上面に、仏具における電気器具ｂの配線コード１２を挿通させる通孔１５を、該受体２の下面まで貫通させて設けて、仏具における電気器具ｂの配線コード１２はその先端部に、コンセント１１へ接続させるプラグ１０を設けてあり、コンセント１１は、受体２の下方に設けるか、仏壇Ａの外方において室内に設けられるかのいずれか一つである構成を有する。
なお、仏壇本体１および受体２の基本的構成は、前記した実施例に示すような家具調式や厨子調式の仏壇Ａにおける仏壇本体１および受体２と同様に構成されるため、同一部材には同一符号を付し、その詳細な説明は省略する。
【００２０】
この例は、電灯線につながるコンセント１１を、図４に示すように、受体２の下方に設けるか、図５に示すように、仏壇Ａの外方において室内に設けられるコンセント２０とすることで、電気器具ｂへ通電するための配線コード１２を受体２の上面に設けた通孔１５に通して、この配線コード１２の先端に取り付けたプラグ１０を介して、コンセント１１へ接続させるものである。
なお、このコンセント１１は、図５において示すように、受体２の上方において、仏壇本体１の後側部に露出させて設けてもよい。
【００２１】
受体２の上面に設けた通孔１５は、受体２における電気器具ｂの通常の載置位置の近傍に穿設させることが、配線コード１２をできるだけ短く形成させることができる上で好ましい。
【００２２】
コンセント１１を、受体２の下方に設ける場合は、例えば、収容体７の背板１６付近に設けるもので、このコンセント１１に接続した電灯線のコンセント２０への配線１３は、仏壇本体１の適所に配してある。
更に、コンセント１１を、受体２の下方に設ける場合、該受体２の裏面の適所に設けることもできる。
また、配線コード１２は、通孔１５への挿通作業を容易に行うため、コンパクトなコネクタ１８，１９を利用する。
【００２３】
更に、該配線コード１２は、図４（ａ）に示すように、電気器具ｂの底部ｂ３の側部から突出させて延長させるか、あるいは、図４（ｂ）に示すように、電気器具ｂのランプ体ｂ２から突出させて延長させるかするもので、任意の手段が選定し得る。
【００２４】
コンセント１１を、図４に示すように、受体２の下方に、例えば、収容体７内に設けたときは、該コンセント１１とプラグ１０との結合およびその結合解除にあっては、受体２の適宜な移動動作によってなされる。例えば、図６（ａ）に示すように、受体２は、収容体７の開口部に対して、その前後方向へ摺動自在に設けられる。この場合、受体２と収容体７とに摺動ガイド２１を設けて、この摺動ガイド２１に沿って受体２を摺動移動させることが好ましい。
更に他の例として、図６（ｂ）に示すように、収容体７の開口部に対して、着脱自在に設けられるもので、これらの例のいずれか一つが採用される。
【００２５】
更にまた他の例として、図７に示すように、受体２を、収容体７の開口部の外形状に合わせて板状に形成させ、該受体２の後側部（コンセント１１の取り付け箇所の近傍部）を前後方向に対して、主受体２ａと回動受体２ａとに二分割させて、この回動受体２ｂを蝶番やヒンジ等の回動部材２２により回動自在に取り付け、該回動受体２ｂを前方向に対して回動させて、収容体７の開口部７ａを露出させたとき、コンセント１１へのプラグ１０の脱着が行え、また、この脱着操作を行わない通常時にあっては、回動受体７ｂを後方向に対して回動させて、収容体７の開口部７ａを閉塞したとき、この回動受体７ｂと主受体７ａとが一連の平滑状となるように構成されている。該回動受体７ｂは、その下面が収容体７の開口部における上面に支承される。
【００２６】
収容体７の開口部７ａは、人の手などが出入りすることができ、コンセント１１へのプラグ１０の脱着操作ができる程度に開口すればよい。
【００２７】
したがって、受体２は、前記した摺動や着脱，回動操作により、収容体７の上部において開口部７ａが形成されるので、人の手がこの開口部７ａへ自由に臨ませることができるため、コンセント１１とプラグ１０との結合およびその結合解除が容易に行える。
【００２８】
電気器具ｂの配線コード１２は、受体２の通孔１５から抜き出すことにより、電気器具ｂ全体を仏壇本体より離隔することができる。そのため、該電気器具ｂの取り扱いやその収納などが容易となると共に、この電気器具ｂの故障などの際に、その交換作業が簡単に行える。
【００２９】
次に、更に他の実施例の仏壇Ａを、図８〜図９に基づいて説明するもので、この例は、仏壇本体１と、この仏壇本体１の内部に安置物や仏具、電気ロウソクの電気器具ｂなどを供える受体２を設けた仏壇Ａにあって、受体２の上面に、仏具における電気器具ｂの配線コード１２を収納させる収納溝２３を設けて、仏具における電気器具ｂの配線コード１２はその先端部に、コンセント１１へ接続させるプラグ１０を設けてあり、コンセント１１は、受体２の下方に設けるか、仏壇Ａの外方において室内に設けられる（例えば、図５に示すコンセント２０のように）かのいずれか一つである構成を有する。
また、前記した収納溝２３は、受体２の後側部において、コンセント１１へ通じる通路２４を設けてある。
なお、仏壇本体１および受体２の基本的構成は、前記した実施例に示すような家具調式や厨子調式の仏壇Ａにおける仏壇本体１および受体２と同様に構成されるため、同一部材には同一符号を付し、その詳細な説明は省略する。
【００３０】
この例は、電気器具ｂの配線コード１２を、図４に示す通孔１５に代えて、受体２に設けた収納溝２３を採用したもので、基本的な作用効果は、この通孔１５の例に準ずる。また、コンセント１１を、収容体７内に設けたときは、該コンセント１１とプラグ１０との結合およびその結合解除にあっては、図６に示すような、受体２の前後方向へ摺動自在に設けられる構成や、受体２の前後方向へ摺動自在に設けられる構成、あるいは、図７に示すような、受体２を二分割させてその一方を回動自在に設ける構成が採用される。（なお、本例にあっては、図６，７に示される構成の説明を援用する。）
【００３１】
したがって、受体２は、前記した摺動や着脱，回動操作により、収容体７の上部において開口部７ａが形成されるので、人の手がこの開口部７ａへ自由に臨ませることができるため、コンセント１１とプラグ１０との結合およびその結合解除が容易に行える。
【００３２】
なお、電気器具ｂの配線コード１２を収納する収納溝２３は、図９に示すように、その開口を蓋体２５により着脱自在に閉塞すれば、ゴミなどの異物がこの収納溝２３へ入り込むのを防止することができると共に、受体２上への仏具ｂなどの載置に不都合を生じない。
【００３３】
前記した一実施例に係る仏壇Ａにあって、収容体７は前後方向に対して進退自在となる例を示したが、この収容体７は、仏壇本体１に対して固定状態に設けられてもよい。
【図面の簡単な説明】
【００３４】
【図１】本発明に関する仏壇の一実施例を示す斜視図である。（家具調式仏壇）
【図２】図１における仏壇の受体と電気器具との載置状態を示す一部を破断した要部の正面図を示す。
【図３】図１における仏壇の受体と電気器具との載置状態を示すもので、（ａ）は、その要部の一部を破断して示す側面図、（ｂ）は、電気器具における配線コードの他の取付例を示す説明図、（ｃ）は、（ｂ）の更に他の取付例を示す説明図を示す。
【図４】本発明に関する仏壇の他の実施例を示すもので、（ａ）は、受体と電気器具との載置状態を示す一部を破断した要部の側面図を、（ｂ）は、電気器具における配線コードの他の取付例を示す説明図を示す。
【図５】図４における仏壇の他のコンセントの例を示す斜視図である。
【図６】図５における仏壇の受体の移動例を示すもので、（ａ）は、摺動式を、（ｂ）は、脱着式を示す。
【図７】図６における仏壇の受体移動の他の例を示す一部を破断した側面図である。
【図８】本発明に関する更に他の実施例を示す要部の一部を破断した側面図である。
【図９】図８における仏壇の収納溝への蓋体の取付状態を示す説明図である。
【図１０】図１における仏壇に家具調式仏壇を用いた例を示す斜視図である。
【符号の説明】
【００３５】
Ａ…仏壇．ｂ…電気器具（仏具）．ｂ３…底部．１…仏壇本体．２…受体．２ａ…主受体．２ｂ…回動受体．７…収容体．７ａ…開口部．１０…プラグ．１１（２０）…コンセント．１２…配線コード．１５…通孔．２２…回動部材．２３…収納溝．２４…通路
【手続補正書】
【提出日】平成16年1月8日(2004.1.8)
【手続補正１】
【補正対象書類名】特許請求の範囲
【補正対象項目名】全文
【補正方法】変更
【補正の内容】
【特許請求の範囲】
【請求項１】
仏壇本体と、この仏壇本体に安置物や仏具などを供える受体を設けた仏壇にあって、
前記受体は、前記仏壇本体に取り付けられ上部に開口部を有する箱状の収容体の上部に設けられ、
前記受体の上面に、前記仏具における電気器具の配線コードを挿通させる通孔を該受体の下面まで貫通させて設けて、
前記受体の下部における収容体には、前記通孔を通った前記配線コードの先端部に取り付けたプラグを接続させるコンセントを設けてあり、
前記受体は、前記収容体の開口部に対して、その前後方向へ摺動自在に設けられるか、前記収容体の開口部に対して、着脱自在に設けられるかのいずれか一つであることを特徴とする仏壇。
【請求項２】
仏壇本体と、この仏壇本体に安置物や仏具などを供える受体を設けた仏壇にあって、
前記受体は、前記仏壇本体に取り付けられ上部に開口部を有する箱状の収容体の上部に設けられ、
前記受体の上面に、前記仏具における電気器具の配線コードを挿通させる通孔を該受体の下面まで貫通させて設けて、
前記受体の下部における収容体の後側部には、前記通孔を通った前記配線コードの先端部に取り付けたプラグを接続させるコンセントを設けてあり、
前記受体は、板状に形成され、該受体の後側部を前後方向に対して主受体と回動受体とに二分割させて、前記回動受体を回動部材により回動自在に取り付け、
該回動受体を回動させて前記収容体の開口部を露出させたとき、前記コンセントへの前記プラグの脱着が行え、前記回動受体を回動させて前記収容体の開口部を閉塞したとき、前記主受体と一連の平滑状となることを特徴とする仏壇。